(57)【特許請求の範囲】
【請求項１】
光送信機から光伝送路を介して送信された光信号を受信して電気信号に変換する光回線終端装置に対して、無線にて情報の送信を行う携帯用送信装置であって、
前記光回線終端装置を操作するための操作指令の入力を受け付ける受付手段と、
前記受付手段によって受け付けられた操作指令を前記光回線終端装置に対して無線にて送信する送信手段と、を備え、
前記操作指令は、前記光回線終端装置にて検出された光信号の受信レベルに応じて、前記光回線終端装置に設けられた表示手段を点灯又は点滅させるための指令を含む、
光回線終端装置用の携帯用送信装置。
【請求項２】
光送信機から光伝送路を介して送信された光信号を受信して電気信号に変換する光回線終端装置に対して、無線にて情報の送信を行う携帯用送信装置であって、
前記光回線終端装置を操作するための操作指令の入力を受け付ける受付手段と、
前記受付手段によって受け付けられた操作指令を前記光回線終端装置に対して無線にて送信する送信手段と、
前記光回線終端装置から当該光回線終端装置に関する情報を無線にて受信する受信手段と、
前記受信手段によって受信した前記光回線終端装置に関する情報を出力する出力手段と、を備え、
前記出力手段は、
前記光回線終端装置が、前記光回線終端装置にて検出された前記光信号の受信レベルを特定するための情報を外部に出力する態様と同一の態様にて、前記光信号の受信レベルを特定するための情報を外部に出力する、
光回線終端装置用の携帯用送信装置。
【請求項３】
前記光回線終端装置に関する情報は、前記光回線終端装置にて検出された前記光信号の受信レベルを特定するための情報である、
請求項２に記載の光回線終端装置用の携帯用送信装置。
【請求項４】
前記光回線終端装置に関する情報は、前記光回線終端装置の制御状態に関する制御状態情報である、
請求項２又は３のいずれか一項に記載の光回線終端装置用の携帯用送信装置。
【請求項５】
前記光回線終端装置に関する情報は、前記光回線終端装置にて実行された制御の履歴に関する制御履歴情報である、
請求項２から４のいずれか一項に記載の光回線終端装置用の携帯用送信装置。
【請求項６】
前記光回線終端装置に関する情報は、前記光回線終端装置を一意に識別するために当該光回線終端装置に記憶されたアドレスである、
請求項２から５のいずれか一項に記載の光回線終端装置用の携帯用送信装置。
【請求項７】
前記受付手段にて受け付けられた操作指令に関する情報を記憶する記憶手段を備え、
前記受付手段は、前記記憶手段に記憶された前記操作指令に関する情報を出力するように、当該携帯用送信装置を操作するための操作指令の入力を受け付ける出力受付手段を備え、
前記出力手段は、前記出力受付手段によって受け付けられた操作指令に基づいて、前記記憶手段に記憶された前記操作指令に関する情報を出力する、
請求項２から６のいずれか一項に記載の光回線終端装置用の携帯用送信装置。
【請求項８】
前記受付手段は、
前記光回線終端装置において前記電気信号の出力レベルの調整を行うための調整量の入力を受け付けるレベル調整量設定受付手段と、
前記レベル調整量設定受付手段によって受け付けられた調整量に基づいて前記電気信号の出力レベルを調整するように、前記光回線終端装置を操作するための操作指令の入力を受け付けるレベル調整受付手段とを備え、
前記送信手段は、前記レベル調整受付手段によって受け付けられた操作指令を前記光回線終端装置に対して送信する、
請求項１から７のいずれか一項に記載の光回線終端装置用の携帯用送信装置。
【請求項９】
前記受付手段は、
前記光回線終端装置を一意に識別するためのアドレスの入力を受け付けるアドレス設定受付手段と、
前記アドレス設定受付手段によって受け付けられたアドレスと前記光回線終端装置に記憶されたアドレスとが合致した場合に、当該光回線終端装置に関する情報を外部に出力するように、当該光回線終端装置を操作するための操作指令の入力を受け付けるアドレス照合受付手段とを備え、
前記送信手段は、前記アドレス照合受付手段によって受け付けられた操作指令を前記光回線終端装置に対して送信する、
請求項１から８のいずれか一項に記載の光回線終端装置用の携帯用送信装置。
【請求項１０】
前記受付手段は、
前記光回線終端装置を一意に識別するためのアドレスの入力を受け付けるアドレス設定受付手段と、
前記光回線終端装置に記憶されたアドレスを前記アドレス設定受付手段によって受け付けられたアドレスに変更するように、当該光回線終端装置を操作するための操作指令の入力を受け付けるアドレス変更受付手段を備え、
前記送信手段は、前記アドレス変更受付手段によって受け付けられた操作指令を前記光回線終端装置に対して送信する、
請求項１から９のいずれか一項に記載の光回線終端装置用の携帯用送信装置。
【発明の詳細な説明】
【技術分野】
【０００１】
本発明は、光回線終端装置用の携帯用送信装置に関する。
【背景技術】
【０００２】
近年では、光通信技術の進展に伴い、光ケーブルを用いた光伝送システムが普及している。この光伝送システムによれば、数１０ｋｍ程度の無中継伝送が可能となるため、伝送システムを容易に広域化できる。この光伝送システムは、概略的には、送信者側に配置した光送信機と、受信者側に配置した光回線終端装置（ＯＮＵ：Ｏｐｔｉｃａｌ Ｎｅｔｗｏｒｋ Ｕｎｉｔ）とを、光ケーブルにて構成された光伝送路を介して接続して構成されている。そして、送信者側においてＴＶ信号や告知放送信号を混合し、この混合された電気信号を光送信機によって光信号に変換し、この光信号を光伝送路を介して光回線終端装置に送信する。この光回線終端装置では、光信号を電気信号（ＲＦ信号）に変換して、ＴＶ受像機や告知放送受信機に出力する。
【先行技術文献】
【特許文献】
【０００３】
【特許文献１】特開２００６−１７４２１１号公報
【発明の概要】
【発明が解決しようとする課題】
【０００４】
ここで、光回線終端装置を受信者側に設置する際、光送信機から光伝送路を介して光回線終端装置に入力される光信号のレベルを確認する必要があった。この光回線終端装置に入力される光信号のレベルの確認は、作業者が入力される光信号のレベルを確認することができないため、具体的には別途用意した光パワーメータを光伝送路に接続して光信号のレベルを計測することにより行われていた。そのため、例えば建物の高い位置（例えば建物の屋根付近の外壁等）に光回線終端装置が設置された後、メンテナンス等のために光信号のレベルを確認する場合には、作業者が光回線終端装置の設置場所に上って、光伝送路から一旦光回線終端装置を取り外し、光パワーメータを光伝送路に接続して光信号のレベルを計測した後、再度光回線終端装置を光伝送路に接続する必要があり、作業が煩雑となっていた。
【０００５】
本発明は、上記に鑑みてなされたものであって、光回線終端装置から離れた位置で当該光回線終端装置に関する情報を確認することができる、光回線終端装置用の携帯用送信装置を提供することを目的とする。
【課題を解決するための手段】
【０００６】
上述した課題を解決し、目的を達成するために、請求項１に記載の光回線終端装置用の携帯用送信装置は、光送信機から光伝送路を介して送信された光信号を受信して電気信号に変換する光回線終端装置に対して、無線にて情報の送信を行う携帯用送信装置であって、前記光回線終端装置を操作するための操作指令の入力を受け付ける受付手段と、前記受付手段によって受け付けられた操作指令を前記光回線終端装置に対して無線にて送信する送信手段と、を備え、前記操作指令は、前記光回線終端装置にて検出された光信号の受信レベルに応じて、前記光回線終端装置に設けられた表示手段を点灯又は点滅させるための指令を含む。
【０００７】
請求項２に記載の光回線終端装置用の携帯用送信装置は、光送信機から光伝送路を介して送信された光信号を受信して電気信号に変換する光回線終端装置に対して、無線にて情報の送信を行う携帯用送信装置であって、前記光回線終端装置を操作するための操作指令の入力を受け付ける受付手段と、前記受付手段によって受け付けられた操作指令を前記光回線終端装置に対して無線にて送信する送信手段と、前記光回線終端装置から当該光回線終端装置に関する情報を無線にて受信する受信手段と、前記受信手段によって受信した前記光回線終端装置に関する情報を出力する出力手段と、を備え、前記出力手段は、前記光回線終端装置が、前記光回線終端装置にて検出された前記光信号の受信レベルを特定するための情報を外部に出力する態様と同一の態様にて、前記光信号の受信レベルを特定するための情報を外部に出力する。
【０００８】
請求項３に記載の光回線終端装置用の携帯用送信装置は、請求項２に記載の光回線終端装置用の携帯用送信装置において、前記光回線終端装置に関する情報は、前記光回線終端装置にて検出された前記光信号の受信レベルを特定するための情報である。
【０００９】
請求項４に記載の光回線終端装置用の携帯用送信装置は、請求項２又は３のいずれか一項に記載の光回線終端装置用の携帯用送信装置において、前記光回線終端装置に関する情報は、前記光回線終端装置の制御状態に関する制御状態情報である。
【００１０】
請求項５に記載の光回線終端装置用の携帯用送信装置は、請求項２から４のいずれか一項に記載の光回線終端装置用の携帯用送信装置において、前記光回線終端装置に関する情報は、前記光回線終端装置にて実行された制御の履歴に関する制御履歴情報である。
【００１１】
請求項６に記載の光回線終端装置用の携帯用送信装置は、請求項２から５のいずれか一項に記載の光回線終端装置用の携帯用送信装置において、前記光回線終端装置に関する情報は、前記光回線終端装置を一意に識別するために当該光回線終端装置に記憶されたアドレスである。
【００１２】
請求項７に記載の光回線終端装置用の携帯用送信装置は、請求項２から６のいずれか一項に記載の光回線終端装置用の携帯用送信装置において、前記受付手段にて受け付けられた操作指令に関する情報を記憶する記憶手段を備え、前記受付手段は、前記記憶手段に記憶された前記操作指令に関する情報を出力するように、当該携帯用送信装置を操作するための操作指令の入力を受け付ける出力受付手段を備え、前記出力手段は、前記出力受付手段によって受け付けられた操作指令に基づいて、前記記憶手段に記憶された前記操作指令に関する情報を出力する。
【００１３】
請求項８に記載の光回線終端装置用の携帯用送信装置は、請求項１から７のいずれか一項に記載の光回線終端装置用の携帯用送信装置において、前記受付手段は、前記光回線終端装置において前記電気信号の出力レベルの調整を行うための調整量の入力を受け付けるレベル調整量設定受付手段と、前記レベル調整量設定受付手段によって受け付けられた調整量に基づいて前記電気信号の出力レベルを調整するように、前記光回線終端装置を操作するための操作指令の入力を受け付けるレベル調整受付手段とを備え、前記送信手段は、前記レベル調整受付手段によって受け付けられた操作指令を前記光回線終端装置に対して送信する。
【００１４】
請求項９に記載の光回線終端装置用の携帯用送信装置は、請求項１から８のいずれか一項に記載の光回線終端装置用の携帯用送信装置において、前記受付手段は、前記光回線終端装置を一意に識別するためのアドレスの入力を受け付けるアドレス設定受付手段と、前記アドレス設定受付手段によって受け付けられたアドレスと前記光回線終端装置に記憶されたアドレスとが合致した場合に、当該光回線終端装置に関する情報を外部に出力するように、当該光回線終端装置を操作するための操作指令の入力を受け付けるアドレス照合受付手段とを備え、前記送信手段は、前記アドレス照合受付手段によって受け付けられた操作指令を前記光回線終端装置に対して送信する。
【００１５】
請求項１０に記載の光回線終端装置用の携帯用送信装置は、請求項１から９のいずれか一項に記載の光回線終端装置用の携帯用送信装置において、前記受付手段は、前記光回線終端装置を一意に識別するためのアドレスの入力を受け付けるアドレス設定受付手段と、前記光回線終端装置に記憶されたアドレスを前記アドレス設定受付手段によって受け付けられたアドレスに変更するように、当該光回線終端装置を操作するための操作指令の入力を受け付けるアドレス変更受付手段を備え、前記送信手段は、前記アドレス変更受付手段によって受け付けられた操作指令を前記光回線終端装置に対して送信する。
【発明の効果】
【００１７】
請求項１に記載の光回線終端装置用の携帯用送信装置によれば、光回線終端装置を操作するための操作指令が光回線終端装置に対して送信されるので、作業者が光回線終端装置から離れた位置で当該光回線終端装置を操作することができ、当該光回線終端装置に関する作業の効率化を図ることができる。
また、光回線終端装置にて検出された光信号の受信レベルを特定するための情報が光回線終端装置から外部に出力されるので、作業者が光回線終端装置から離れた位置で当該光回線終端装置の光信号の受信レベルを確認することができる。
【００１８】
請求項２に記載の光回線終端装置用の携帯用送信装置によれば、光回線終端装置を操作するための操作指令が光回線終端装置に対して送信されるので、作業者が光回線終端装置から離れた位置で当該光回線終端装置を操作することができ、当該光回線終端装置に関する作業の効率化を図ることができる。
また、作業者が光回線終端装置から離れた位置で当該光回線終端装置に関する情報を容易に確認することができる。
【００１９】
請求項３に記載の光回線終端装置用の携帯用送信装置によれば、光回線終端装置の光信号の受信レベルを特定するための情報が携帯用送信装置によって受信されて出力されるので、作業者が光回線終端装置から離れた位置で当該光回線終端装置の光信号の受信レベルを容易に確認することができる。
【００２０】
請求項４に記載の光回線終端装置用の携帯用送信装置によれば、光回線終端装置の制御状態情報が携帯用送信装置によって受信されて出力されるので、作業者が光回線終端装置から離れた位置で当該光回線終端装置の制御状態を確認することができる。
【００２１】
請求項５に記載の光回線終端装置用の携帯用送信装置によれば、光回線終端装置の制御履歴情報が携帯用送信装置によって受信されて出力されるので、作業者が光回線終端装置から離れた位置で当該光回線終端装置の制御履歴を確認することができる。
【００２２】
請求項６に記載の光回線終端装置用の携帯用送信装置によれば、光回線終端装置のアドレスが携帯用送信装置によって受信されて出力されるので、作業者が光回線終端装置から離れた位置で当該光回線終端装置のアドレスを確認することができる。
【００２３】
請求項７に記載の光回線終端装置用の携帯用送信装置によれば、受付手段にて受け付けられた操作指令に関する情報が出力されるので、作業者が受付手段にて受け付けられた操作指令を事後的に確認することができ、例えば携帯用送信装置又は光回線終端装置にエラーが発生した場合に、そのエラーの原因を一層特定し易くなる。
【００２４】
請求項８に記載の光回線終端装置用の携帯用送信装置によれば、電気信号の出力レベルの調整を行うための調整量が光回線終端装置に送信され、この調整量に基づいて光回線終端装置において電気信号の出力レベルの調整が行われるので、作業者が光回線終端装置から離れた位置で当該光回線終端装置の電気信号の出力レベルを容易に調整することができ、当該光信号の受信レベルの調整作業の効率化を図ることができる。
【００２５】
請求項９に記載の光回線終端装置用の携帯用送信装置によれば、送信手段から送信されたアドレスと光回線終端装置に記憶されたアドレスとが合致した場合に、光回線終端装置に関する情報が外部に出力されるので、複数の携帯用送信装置が近接して配置されているような場合であっても、特定の光回線終端装置に関する情報を確認することができ、光回線終端装置に関する情報の確認作業の効率化を図ることができる。
【００２６】
請求項１０に記載の光回線終端装置用の携帯用送信装置によれば、送信手段から送信されたアドレスによって光回線終端装置に記憶されたアドレスが変更されるので、作業者が光回線終端装置から離れた位置で当該光回線終端装置に記憶されたアドレスを容易に変更することができ、アドレスの変更作業を効率的に行うことができる。
【図面の簡単な説明】
【００２８】
【図１】図１は、実施の形態１に係る告知放送システムの全体構成を示す図である。
【図２】実施の形態１に係る光回線終端装置を示す図であり、（ａ）は正面図、（ｂ）は底面図、（ｃ）は側面図である。
【図３】図２に示す光回線終端装置の電気的構成を機能概念的に示したブロック図である。
【図４】実施の形態１に係る携帯用送信装置の外観構成を示す外観図である。
【図５】図４に示す携帯用送信装置の電気的構成を機能概念的に示したブロック図である。
【図６】実施の形態１に係る光回線終端装置及び携帯用送信装置が実行する表示処理の概略例を示したフローチャートである。
【図７】実施の形態２に係る光回線終端装置の電気的構成を機能概念的に示したブロック図である。
【図８】切替部の詳細を示す概略図である。
【図９】実施の形態２に係る携帯用送信装置の外観構成を示す外観図である。
【図１０】図９に示す携帯用送信装置の電気的構成を機能概念的に示したブロック図である。
【図１１】実施の形態２に係る光回線終端装置及び携帯用送信装置が実行するアドレス表示処理のフローチャートである。
【図１２】実施の形態２に係る光回線終端装置及び携帯用送信装置が実行する受信レベル等表示処理のフローチャートである。
【図１３】実施の形態２に係る光回線終端装置及び携帯用送信装置が実行する設定変更処理のフローチャートである。
【図１４】実施の形態２に係る携帯用送信装置が実行する出力処理のフローチャートである。
【発明を実施するための形態】
【００２９】
以下に添付図面を参照して、この発明に係る光回線終端装置用の携帯用送信装置の各実施の形態を詳細に説明する。ただし、これら各実施の形態によって本発明が限定されるものではない。
【００３０】
〔実施の形態１〕
最初に、実施の形態１について説明する。この形態は、光回線終端装置にて検出された光信号の受信レベルを特定するための情報を出力手段に出力させる形態である。
【００３１】
（構成）
最初に、各実施の形態に係るシステムの構成を説明する。図１は、実施の形態１に係る告知放送システムの全体構成を示す図である。
【００３２】
図１に示すように、告知放送システム１は、各住戸に配置された光回線終端装置１０と、当該光回線終端装置１０に対して情報の入出力を行う光回線終端装置用の携帯用送信装置２００を備えて構成されている。このうち、住宅の外部から引き込まれた光ケーブル２は当該住宅の外壁に設置された光回線終端装置１０に接続されている。また、この光回線終端装置１０から引き出された同軸ケーブル３は当該住宅内に設置されたデジタルＴＶ４と接続されている。
【００３３】
（構成−光回線終端装置）
まず、図１に示した光回線終端装置１０の構成について説明する。図２は実施の形態１に係る光回線終端装置１０を示す図であり、（ａ）は正面図、（ｂ）は底面図、（ｃ）は側面図である。なお、以下の説明においては、図２のＸ方向を左右方向、図２のＹ方向を上下方向、図２のＺ方向を前後方向とする。また図３は、図２に示す光回線終端装置１０の電気的構成を機能概念的に示したブロック図である。
【００３４】
光回線終端装置１０は、図２に示す筐体２０の内部に、図３に示すＰＤ（Ｐｈｏｔｏ  Ｄｉｏｄｅ）３０、増幅部４０、出力端子５０、送受信部６０、表示部７０、及び制御部８０を備えている。
【００３５】
筐体２０は、光回線終端装置１０の構造体であり、ＰＤ３０、増幅部４０、出力端子５０、送受信部６０、表示部７０、及び制御部８０を外部から保護する保護手段である。この筐体２０は、図２に示すように、一側面を開放した略箱形状のベース部２１と、このベース部２１をその開放面側から略覆うカバー部２２とを備えて構成されており、カバー部２２はその上端部近傍位置においてベース部２１に対して回動自在に軸支されている。カバー部２２を閉じてベース部２１を略覆った状態において、これらベース部２１とカバー部２２との対向位置には一対の引き込み口２３が形成され、この引き込み口２３を介して、光ファイバ（図示省略）を筐体２０の内部に引込むことができ、あるいは、筐体２０の内部から外部に光ファイバを引き出すことができる。また、引き込み口２３の側方には、一対の端子孔２４が形成されており、この端子孔２４を介して、出力端子５０（例えば、テレビ信号出力端子や同軸コネクタ等）が筐体２０の外部に露出され、この出力端子５０に信号ケーブル（以下、同軸ケーブル３）を接続することができる。
【００３６】
図３に示すように、ＰＤ３０は、光送信機（図示省略）から光伝送路（図示省略）を介して送信された光信号を電気信号（以下「ＲＦ信号」）に変換する光電変換手段である。ＰＤ３０は、ＲＦ信号を増幅部４０及び制御部８０に出力する。
【００３７】
増幅部４０は、ＰＤ３０から出力されたＲＦ信号を増幅する増幅手段であり、例えば公知のＡＧＣ（Ａｕｔｏｍａｔｉｃ  Ｇａｉｎ  Ｃｏｎｔｒｏｌ）回路を用いて構成され、制御部８０によって制御される。
【００３８】
出力端子５０は、増幅部４０にて増幅されたＲＦ信号を光回線終端装置１０の外部機器（例えばセットトップボックス）に出力する。
【００３９】
送受信部６０は、携帯用送信装置２００から後述する操作指令を受信する受信手段であると共に、光回線終端装置１０にて検出された光信号の受信レベルを特定するための情報を携帯用送信装置２００に対して送信する送信手段である。この送受信部６０は、例えば赤外線通信用の受光部及び送光部等を用いて構成される（後述する携帯用送信装置２００の送受信部２１０も同様）。
【００４０】
表示部７０は、制御部８０による制御に基づき情報を表示する表示手段である。この表示部７０としては、例えばＬＥＤ（Ｌｉｇｈｔ  Ｅｍｉｔｔｉｎｇ  Ｄｉｏｄｅ）を用いることができる。この表示部７０は、図２（ｂ）に示すように、例えば筐体２０の下面に外部から視認可能に配置されている。本実施の形態では、この表示部７０として、光回線終端装置１０の電源のＯＮ／ＯＦＦを示すＬＥＤ７１（図２（ｂ）における「ＰＷＲ」）、ＲＦ信号の出力状態を示すＬＥＤ７２（図２（ｂ）における「ＲＦ」）、及び光信号の受信状態を示すＬＥＤ７３（図２（ｂ）における「ＯＰＴ」）が設けられているものとする。
【００４１】
制御部８０は、光回線終端装置１０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する携帯用送信装置２００の制御部２６０も同様）。
【００４２】
この制御部８０は、機能概念的に、検出部８１を備えている。検出部８１は、光回線終端装置１０における光信号の受信レベルを検出する検出手段である。この制御部８０によって実行される処理の詳細については後述する。
【００４３】
（構成−携帯用送信装置）
次に、図１に示した携帯用送信装置２００の構成を説明する。図４は、実施の形態１に係る携帯用送信装置２００の外観構成を示す外観図である。図５は、図４に示す携帯用送信装置２００の電気的構成を機能概念的に示したブロック図である。
【００４４】
図４に示すように、携帯用送信装置２００は、掌サイズの平板型の筐体（本体）を備えて構成されている。この筺体は、当該筺体の一方の端部に送受信部２１０を備えており、当該筐体表側に操作部２２０及び表示部２４０を備えている。また、図５に示すように、携帯用送信装置２００は、筐体の内部に送受信部２１０、操作部２２０、表示部２４０、電源部２５０、及び制御部２６０を備えている。
【００４５】
操作部２２０は、光回線終端装置１０を操作するための操作指令を受け付ける受付手段であり、例えば公知の押しボタン式のスイッチ等を用いて構成される。ここで、光回線終端装置１０を操作するための操作指令とは、例えば光回線終端装置１０にて検出された光信号の受信レベルを特定するための情報を送信するように、光回線終端装置１０を操作するための操作指令を意味する。
【００４６】
送受信部２１０は、操作部２２０によって受け付けた操作指令を光回線終端装置１０に対して送信する送信手段であると共に、光回線終端装置１０にて検出された光信号の受信レベルを特定するための情報を受信する受信手段である。
【００４７】
表示部２４０は、送受信部２１０によって受信した情報であって、光回線終端装置１０にて検出された光信号の受信レベルを特定するための情報を表示する出力手段であり、例えば公知の１つのＬＥＤ（Ｌｉｇｈｔ Ｅｍｉｔｔｉｎｇ Ｄｉｏｄｅ）を用いて構成される。
【００４８】
電源部２５０は、携帯用送信装置２００の各部に電力を供給する電池であり、例えば公知の乾電池や充電池を用いて構成される。
【００４９】
制御部２６０は、携帯用送信装置２００の各部を制御する制御手段である。この制御部２６０によって実行される処理の詳細については後述する。
【００５０】
（処理）
次に、上述のように構成された光回線終端装置１０及び携帯用送信装置２００が実行する処理について説明する。図６は、実施の形態１に係る光回線終端装置１０及び携帯用送信装置２００が実行する表示処理の概略例を示したフローチャートである（以下の各処理の説明ではステップを「Ｓ」と略記する）。この表示処理は、光回線終端装置１０にて検出された光信号の受信レベルに関する情報を表示部７０、２４０に出力する処理である。この表示処理は、例えば、光回線終端装置１０及び携帯用送信装置２００に電源が投入された場合に自動的に起動される。
【００５１】
表示処理が起動されると、携帯用送信装置２００の制御部２６０は、光信号の受信レベルを特定するための情報を送信するように、光回線終端装置１０を操作するための操作指令を、操作部２２０が受け付けたか否かを監視する（ＳＡ１）。
【００５２】
ここで、作業者によって操作部２２０が押し下げられることで、操作部２２０が上述した操作指令を受け付けた場合（ＳＡ１、Ｙｅｓ）、携帯用送信装置２００の制御部２６０は、上述した操作指令に関する指令信号を送受信部２１０によって光回線終端装置１０に対して送信させる（ＳＡ２）。
【００５３】
一方、光回線終端装置１０の制御部８０は、送受信部６０がＳＡ２にて送信された指令信号を受信した否かを監視する（ＳＢ１）。ここで、送受信部６０がＳＡ２にて送信された指令信号を受信したと判定された場合（ＳＢ１、Ｙｅｓ）、光回線終端装置１０の検出部８１は、ＰＤ３０にて変換されたＲＦ信号に基づいて、光回線終端装置１０における光信号の受信レベルを検出する（ＳＢ２）。
【００５４】
次に、光回線終端装置１０の制御部８０は、ＳＢ２にて検出された光信号の受信レベルを特定する情報を表示部７０に表示させる（ＳＢ３）。光信号の受信レベルに対応する情報を表示させる表示部７０としては、例えば図２（ｂ）における「ＯＰＴ」のＬＥＤ７３を用いる。
【００５５】
この表示部７０による具体的な表示形態は任意であり、例えば、光回線終端装置１０の制御部８０は、光信号の受信レベルに対応する回数にて「ＯＰＴ」のＬＥＤ７３を点滅等させてもよい。具体的には、ＴＶ受像機に映像障害が生じる程に、受信レベルが過大である場合（例えば、受信レベルが−１ｄＢｍ以上の場合）には「ＯＰＴ」のＬＥＤ７３を所定周期の倍の周期にて１２回点滅させた後、点灯させる。また、ＴＶ受像機に映像を適切に表示できる程に、受信レベルが適正である場合（例えば、受信レベルが−２０ｄＢｍ以上から−１ｄＢｍ未満の場合）においては、受信レベルが−２ｄＢｍ以上から−１ｄＢｍ未満の場合には「ＯＰＴ」のＬＥＤ７３を１回点滅させた後、点灯させる。そしてこれ以降、受信レベルが−３ｄＢｍ以上から−２ｄＢｍ未満の場合には「ＯＰＴ」のＬＥＤ７３を所定周期にて２回点滅させた後、点灯させるというように、受信レベルが１ｄＢｍ下がる毎に点滅回数を１つずつ増やしながら、「ＯＰＴ」のＬＥＤ７３を所定周期にて所定回数点滅させた後、点灯させる。また、ＴＶ受像機に映像を表示することが困難な程に、受信レベルが過小である場合（例えば、受信レベルが−２０ｄＢｍ未満の場合）には「ＯＰＴ」のＬＥＤ７３を消灯させる。このように、受信レベルに対応する回数や周期にて「ＯＰＴ」のＬＥＤ７３を点滅等させることにより、作業者は光回線終端装置１０から離れた位置で光信号の受信レベルを確認することができる。
【００５６】
ＳＡ４の処理において、「ＯＰＴ」のＬＥＤ７３を点滅等させるが、例えば作業者が光回線終端装置１０から遠く離れた位置にいたり、あるいは光回線終端装置１０の周辺に作業者の視界を妨げる障害物が存在することによって、作業者が当該「ＯＰＴ」のＬＥＤ７３の点滅等を確認できない場合がある。このような場合でも、作業者が携帯用送信装置２００の表示部２４０によって光信号の受信レベルを確認できるように、携帯用送信装置２００及び光回線終端装置１０において以下の処理が行われる。まず、光回線終端装置１０の制御部８０は、ＳＢ２にて検出された光信号の受信レベルに関する情報を送受信部６０によって携帯用送信装置２００に対して送信させる（ＳＢ４）。
【００５７】
一方、携帯用送信装置２００の制御部２６０は、送受信部２１０が光回線終端装置１０からＳＢ２にて検出された光信号の受信レベルを特定するための情報を受信したか否かを監視する（ＳＡ３）。
【００５８】
ここで、送受信部２１０が光回線終端装置１０からＳＢ２にて検出された光信号の受信レベルを特定するための情報を受信した場合（ＳＡ３、Ｙｅｓ）、携帯用送信装置２００の制御部２６０は、受信した光信号の受信レベルを特定するための情報を表示部２４０に表示させる（ＳＡ４）。例えば、携帯用送信装置２００の制御部２６０は、上述した「ＯＰＴ」のＬＥＤ７３の表示形態と同様に、光信号の受信レベルに対応する回数や周期にて表示部２４０を点滅等させる。このように、受信レベルに対応する回数や周期にて携帯用送信装置２００の表示部２４０を点滅等させることにより、作業者は光回線終端装置１０から離れた位置で光信号の受信レベルを確認することができる。
【００５９】
（効果）
このように実施の形態１によれば、携帯用送信装置２００の送受信部２１０は光回線終端装置１０から当該光回線終端装置１０にて検出された光信号の受信レベルを特定するための情報を受信し、携帯用送信装置２００の表示部２４０は送受信部２１０によって受信した当該光信号の受信レベルを特定するための情報を表示するので、作業者が当該光回線終端装置１０から離れた位置で当該光信号の受信レベルを確認することができ、当該光信号の受信レベルの確認作業の効率化を図ることができる。
【００６０】
〔実施の形態２〕
次に、実施の形態２について説明する。この形態は、特定の光回線終端装置に対して当該光回線終端装置に関する情報を出力手段に出力させたり、又は設定変更を行わせたりする形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００６１】
（構成−光回線終端装置）
まず、実施の形態２に係る光回線終端装置１０の構成について説明する。図７は実施の形態２に係る光回線終端装置１０の電気的構成を機能概念的に示したブロック図である。光回線終端装置１０は、筐体２０の内部に、図７に示すＰＤ３０、増幅部４０、切替部９０、ＡＴＴ（減衰回路：Ａｔｔｅｎｕａｔｏｒ）１００、出力端子５０、送受信部６０、表示部７０、制御部８０、記憶部１１０を備えている。なお、ＰＤ３０、増幅部４０、出力端子５０、及び送受信部６０の構成については実施の形態１の光回線終端装置１０におけるＰＤ３０、増幅部４０、出力端子５０、及び送受信部６０と同様であるので、特記する部分を除き説明を省略する。
【００６２】
切替部９０は、ＡＴＴ１００に出力する電気信号に含まれる放送帯域の切替を行うものである。図８は、切替部９０の詳細を示す概略図である。図８に示すように、切替部９０は、セパレータ９１、増幅器９２ａ、９２ｂ、９３ａ、９３ｂ、スイッチ９４、９５及びミキサ９６を備えて構成されている。セパレータ９１は、増幅部４０にて増幅されたＲＦ信号を、ＣＡＴＶ帯域（７０〜７７０ＭＨｚ）のＲＦ信号と、ＢＳ／ＣＳ帯域（１０００〜２６０２ＭＨｚ）のＲＦ信号とに分配する分配手段である。このセパレータ９１は、ＣＡＴＶ帯域のＲＦ信号を増幅器９２ａに向けて出力し、ＢＳ／ＣＳ帯域のＲＦ信号を増幅器９２ｂに向けて出力する。増幅器９２ａ、９２ｂはセパレータ９１から分配されたＲＦ信号の出力レベルの予備増幅を行う予備増幅手段である。増幅器９３ａは予備増幅後の増幅を行い、増幅器９３ｂは予備増幅後の増幅を行う増幅手段である。スイッチ９４は、増幅器９３ａとミキサ９６との接続を開閉することによって、増幅器９３ａにて増幅されたＲＦ信号の出力レベルをミキサ９６に送信し又は送信しないようにする切替手段である。スイッチ９５は、増幅器９３ｂとミキサ９６との接続を開閉することによって、増幅器９３ｂにて増幅されたＲＦ信号の出力レベルをミキサ９６に送信し又は送信しないようにする切替手段である。ミキサ９６は、増幅器９３ａ、９３ｂにて増幅されたＲＦ信号を合成する合成手段である。
【００６３】
図７に戻り、ＡＴＴ１００は、切替部にて放送帯域が切り替えられたＲＦ信号の出力レベルを一定の減衰量だけ減衰させる減衰手段である。
【００６４】
制御部８０は、機能概念的に、検出部８１、レベル調整部８２、及びアドレス変更部８３を備えている。レベル調整部８２は、ＡＴＴ１００におけるＲＦ信号の出力レベルの減衰量を調整するために、ＡＴＴ１００の設定を変更する出力レベル調整手段である。アドレス変更部８３は、後述する記憶部１１０に記憶されたアドレスを変更するためのアドレス変更手段である。また、制御部８０は、切替部９０に制御信号を出力することで、切替部９０からＡＴＴ１００への出力帯域幅を設定可能である。また、制御部８０は、ＰＤ３０から出力されるＲＦ信号の出力レベルと、ＡＴＴ１００から出力されるＲＦ信号（出力端子５０から出力されるＲＦ信号）の出力レベルを、携帯用送信装置２００に送信する機能を備える。
【００６５】
記憶部１１０は、当該光回線終端装置１０を一意に識別するためのアドレスや当該光回線終端装置１０にて実行された後述する制御履歴情報等を記憶する記憶手段である。この記憶部１１０は、書き換え可能な記録媒体を用いて構成され、例えばフラッシュメモリ等の不揮発性記録媒体を用いて構成される。
【００６６】
（構成−携帯用送信装置）
次に、携帯用送信装置２００の構成について説明する。図９は実施の形態２に係る携帯用送信装置２００の外観構成を示す外観図である。図１０は図９に示す携帯用送信装置２００の電気的構成を機能概念的に示したブロック図である。
【００６７】
図９に示すように、携帯用送信装置２００は、筺体を備えて構成されている。この筺体は、当該筺体の一方の端部に送受信部２１０を備えており、筐体表側に操作部２２０及び表示部２４０を備えている。また、図１０に示すように、携帯用送信装置２００は、筐体の内部に送受信部２１０、操作部２２０、表示部２４０、情報書込部２７０、電源部２５０、制御部２６０、及び記憶部２８０を備えている。なお、送受信部２１０、電源部２５０、及び制御部２６０の構成については実施の形態１の携帯用送信装置２００における送受信部２１０、電源部２５０、及び制御部２６０と同様であるので、特記する部分を除き説明を省略する。
【００６８】
操作部２２０は、光回線終端装置１０を操作するための操作指令を受け付ける受付手段である。図９に示すように、この操作部２２０は、アドレス設定スイッチ２２１、アドレス表示ボタン２２２、アドレス照合ボタン２２３、アドレス変更ボタン２２４、ＡＴＴ選択スイッチ２２５、ＡＴＴ切り替えボタン２２６、レベル選択スイッチ２２７、レベル確認ボタン２２８、制御状態確認ボタン２２９、制御履歴確認ボタン２３０、及び操作指令出力ボタン２３１を備えて構成されている。
【００６９】
アドレス設定スイッチ２２１は、光回線終端装置１０に記憶されたアドレスを当該携帯用送信装置２００に対して設定するためのアドレス設定受付手段である。アドレス表示ボタン２２２は、光回線終端装置１０が当該光回線終端装置１０に記憶されたアドレスを当該携帯用送信装置２００に対して送信するように、当該光回線終端装置１０を操作するための操作指令を受け付けるアドレス送信受付手段である。アドレス照合ボタン２２３は、光回線終端装置１０が光信号の受信レベルを特定するための情報、ＲＦ信号の出力レベルを特定するための情報、後述する受信状態情報、又は後述する受信履歴情報を送信するように、当該光回線終端装置１０を操作するための操作指令を受け付けるアドレス照合受付手段である。アドレス変更ボタン２２４は、光回線終端装置１０が当該光回線終端装置１０に記憶されたアドレスをアドレス設定スイッチ２２１にて設定されたアドレスに変更するように、当該光回線終端装置１０を操作するための操作指令を受け付けるアドレス変更受付手段である。これらアドレス設定スイッチ２２１、アドレス表示ボタン２２２、及びアドレス照合ボタン２２３は、例えば公知の押しボタン式のスイッチ等を用いて構成される。
【００７０】
ＡＴＴ選択スイッチ２２５は、光回線終端装置１０にて変換されたＲＦ信号の出力レベルの調整に用いられる調整量（例えば０ｄＢ又は−１５ｄＢ）を当該光回線終端装置１０に対して設定するためのレベル調整量設定受付手段であり、例えば公知のスライド式のスイッチ等を用いて構成される。ＡＴＴ切り替えボタン２２６は、光回線終端装置１０がＡＴＴ選択スイッチ２２５にて設定された調整量に基づいてＲＦ信号の出力レベルを調整するように、当該光回線終端装置１０を操作するための操作指令を受け付けるレベル調整受付手段であり、例えば公知の押しボタン式のスイッチ等を用いて構成される。
【００７１】
レベル選択スイッチ２２７は、光回線終端装置１０からＲＦ信号の出力レベルを特定するための情報と光信号の受信レベルを特定するための情報のうちのどちらを送信させるかを選択するためのレベル選択手段であり、例えば公知のスライド式のスイッチ等を用いて構成される。レベル確認ボタン２２８は、光回線終端装置１０がＡＴＴ選択スイッチ２２５にて選択されたＲＦ信号の出力レベルを特定するための情報又は光信号の受信レベルを特定するための情報を当該携帯用送信装置２００に対して送信するように、当該光回線終端装置１０を操作するための操作指令を受け付けるレベル送信受付手段であり、例えば公知の押しボタン式のスイッチ等を用いて構成される。
【００７２】
制御状態確認ボタン２２９は、光回線終端装置１０が現在の制御状態に関する制御状態情報を当該携帯用送信装置２００に対して送信するように、当該光回線終端装置１０を操作するための操作指令を受け付ける制御状態送信受付手段であり、例えば公知の押しボタン式のスイッチ等を用いて構成される。この制御状態情報には、例えばＲＦ信号における放送帯域が制限されていない状態（すなわち、ＣＡＴＶ放送及びＢＳ／ＣＳ放送が行われている状態）で、光回線終端装置１０が当該ＲＦ信号を出力していることを示す情報、ＲＦ信号に含まれる放送帯域がすべて制限された状態（すなわち、ＣＡＴＶ放送及びＢＳ／ＣＳ放送が停止された状態）で、光回線終端装置１０が当該ＲＦ信号を出力していることを示す情報、ＲＦ信号における放送帯域のうちＣＡＴＶ帯域が制限された状態（すなわち、ＣＡＴＶ放送のみが停止された状態）で、光回線終端装置１０が当該ＲＦ信号を出力していることを示す情報、ＲＦ信号における放送帯域のうちＢＳ／ＣＳ帯域が制限された状態（すなわち、ＢＳ／ＣＳ放送のみが停止された状態）で、光回線終端装置１０が当該ＲＦ信号を出力していることを示す情報等が含まれる。
【００７３】
制御履歴確認ボタン２３０は、光回線終端装置１０が当該光回線終端装置１０にて実行された制御の履歴に関する制御履歴情報を当該携帯用送信装置２００に対して送信するように、当該光回線終端装置１０を操作するための操作指令を受け付ける制御履歴送信受付手段であり、例えば公知の押しボタン式のスイッチ等を用いて構成される。この制御履歴情報には、例えば上述した光回線終端装置１０の制御状態が変更された日ごとの当該制御状態の履歴に関する情報等が含まれる。
【００７４】
操作指令出力ボタン２３１は、当該携帯用送信装置２００が記憶部２８０に記憶された操作指令に関する情報を出力するように、当該携帯用送信装置２００を操作するための操作指令を受け付ける出力受付手段であり、例えば公知の押しボタン式のスイッチ等を用いて構成される。この操作指令に関する情報には、例えば、アドレス設定スイッチ２２１にて設定された光回線終端装置１０のアドレス（あるいは告知放送を受信している加入者に設定された加入者番号等）やＡＴＴ選択スイッチ２２５にて設定されたＲＦ信号の出力レベルを調整するための調整量等に関する情報、レベル確認ボタン２２８、制御状態確認ボタン２２９等のＯＮ／ＯＦＦの切り替えを示す情報等が含まれる。また、図示は省略するが、操作部２２０は、光回線終端装置１０の切替部９０からＡＴＴ１００への出力帯域幅を設定するための操作機能を備えている。
【００７５】
表示部２４０は、アドレス表示部２４１、レベル表示部２４２、送信表示部２４３、及び受信表示部２４４を備えて構成されている。アドレス表示部２４１は、光回線終端装置１０から受信した当該光回線終端装置１０に記憶されたアドレスを表示したり、又はアドレス設定スイッチ２２１にて設定されたアドレスを表示するアドレス表示手段であり、例えば公知の６桁の７セグメントＬＥＤ等を用いて構成される。レベル表示部２４２は、光回線終端装置１０から受信したＲＦ信号の出力レベルを特定するための情報又は光信号の受信レベルを特定するための情報を表示するレベル表示手段であり、例えば公知の４桁の７セグメントＬＥＤ等を用いて構成される。送信表示部２４３は、送受信部２１０が当該携帯用送信装置２００から操作指令等を送信した旨を表示する送信表示手段である。受信表示部２４４は、送受信部２１０が光回線終端装置１０から光信号の受信レベルを特定するための情報、ＲＦ信号の出力レベルを特定するための情報、後述する受信状態情報、又は後述する受信履歴情報を受信した旨等を表示する受信表示手段である。これら送信表示部２４３又は受信表示部２４４は、例えば１つのＬＥＤ等を用いて各々構成される。
【００７６】
情報書込部２７０は、各種記録媒体に対して、記憶部２８０に記憶された情報や光回線終端装置１０から受信した情報等の書き込みを行う情報書込手段である。この情報書込部２７０が書き込みを行うことができる記録媒体の種類は任意であるが、例えばＵＳＢメモリ、ＳＤカード等の可搬型の記録媒体が該当する。なお、表示部２４０及び情報書込部２７０は、特許請求の範囲における出力手段を構成するものである。
【００７７】
記憶部２８０は、操作部２２０にて受け付けた操作指令に関する情報を記憶する記憶手段である。この記憶部２８０は、書き換え可能な記録媒体（例えばフラッシュメモリ等の不揮発性記録媒体等）を用いて構成されており、当該書き換え可能な記録媒体には公知の出力形式（例えばＣＳＶ形式等）で操作部２２０にて受け付けた操作指令に関する情報が書き込まれる。
【００７８】
（処理）
次に、上述のように構成された光回線終端装置１０又は携帯用送信装置２００が実行する処理について説明する。この処理は、アドレス表示処理、受信レベル等表示処理、設定変更処理、及び出力処理に大別される。
【００７９】
（処理−アドレス表示処理）
最初に、アドレス表示処理について説明する。図１１は実施の形態２に係る光回線終端装置１０及び携帯用送信装置２００が実行するアドレス表示処理のフローチャートである。このアドレス表示処理は、受信レベル等表示処理や設定変更処理を実行する前に、受信レベル等表示処理や設定変更処理の処理対象となる光回線終端装置１０のアドレスを表示する処理である。このアドレス表示処理は、例えば、光回線終端装置１０及び携帯用送信装置２００に電源が投入された場合に起動される。なお、ＳＣ２、ＳＣ４、ＳＤ１は、図６のＳＡ２、ＳＡ３、ＳＢ１とそれぞれ同じであるので、その説明を省略する。
【００８０】
アドレス表示処理が起動されると、携帯用送信装置２００の制御部２６０は、光回線終端装置１０に記憶されたアドレスを携帯用送信装置２００に対して送信するように、光回線終端装置１０を操作するための操作指令を、アドレス表示ボタン２２２が受け付けたか否かを監視する（ＳＣ１）。
【００８１】
また、ＳＣ２の処理後、携帯用送信装置２００の制御部２６０は、ＳＣ２にて指令信号を送信した旨を送信表示部２４３によって表示（例えば点滅等）させる（ＳＣ３）。
【００８２】
また、ＳＤ１の処理において、光回線終端装置１０の送受信部６０がＳＣ２にて送信された指令信号を受信したと判定された場合（ＳＤ１、Ｙｅｓ）、光回線終端装置１０の制御部８０は、記憶部１１０に記憶されたアドレスを携帯用送信装置２００に対して送受信部６０によって送信させる（ＳＤ２）。
【００８３】
また、ＳＣ４の処理において、携帯用送信装置２００の送受信部２１０がＳＤ２にて光回線終端装置１０から送信されたアドレスを受信した場合（ＳＣ４、Ｙｅｓ）、携帯用送信装置２００の制御部２６０は、ＳＣ４にてアドレスを受信した旨を受信表示部２４４によって表示（例えば点滅等）させる（ＳＣ５）。次いで、携帯用送信装置２００の制御部２６０は、ＳＣ４にて受信したアドレスをアドレス表示部２４１に表示させる（例えば、光回線終端装置１０のアドレスが１２１４６１の場合、アドレス表示部２４１によって「１２１４６１」を表示させる）（ＳＣ６）。このように、携帯用送信装置２００のアドレス表示部２４１に光回線終端装置１０から受信したアドレスを表示させることにより、作業者は光回線終端装置１０から離れた位置で光回線終端装置１０のアドレスを確認することができる。
【００８４】
（処理−受信レベル等表示処理）
次に、受信レベル等表示処理について説明する。図１２は実施の形態２に係る光回線終端装置１０及び携帯用送信装置２００が実行する受信レベル等表示処理のフローチャートである。この受信レベル等表示処理は、アドレス表示部２４１に表示されたアドレスを有する光回線終端装置１０の光信号の受信レベルを特定するための情報、ＲＦ信号の出力レベルを特定するための情報、制御状態情報、又は制御履歴情報を表示する処理である。この受信レベル等表示処理は、例えば光回線終端装置１０及び携帯用送信装置２００に電源が投入された場合に起動される。なお、ＳＥ４，ＳＥ６、ＳＦ１は、図１１のＳＣ３，ＳＣ５、ＳＤ１とそれぞれ同じであるので、その説明を省略する。
【００８５】
図１２に示すように、携帯用送信装置２００の制御部２６０は、当該アドレス表示処理の対象となった光回線終端装置１０のアドレスが作業者によってアドレス設定スイッチ２２１を介して入力されたか否か（あるいは、アドレス表示処理によって、光回線終端装置１０のアドレスが携帯用送信装置２００のアドレス表示部２４１に表示されているか否か）を監視する（ＳＥ１）。
【００８６】
ここで、光回線終端装置１０のアドレスが作業者によってアドレス設定スイッチ２２１を介して入力された場合（あるいは、アドレス表示処理によって、光回線終端装置１０のアドレスが携帯用送信装置２００のアドレス表示部２４１に表示された場合）（ＳＥ１、Ｙｅｓ）、携帯用送信装置２００の制御部２６０は、アドレス設定スイッチ２２１にて設定されたアドレス（あるいは、アドレス表示処理によって、携帯用送信装置２００のアドレス表示部２４１に表示されたアドレス）と光回線終端装置１０に記憶されたアドレスとが合致した場合に、作業者によってレベル選択スイッチ２２７を介して選択された光信号の受信レベルを特定するための情報又はＲＦ信号の出力レベルを特定するための情報を送信するように、当該光回線終端装置１０を操作するための操作指令を、レベル確認ボタン２２８が受け付けたか否かを監視する（ＳＥ２）。あるいは、携帯用送信装置２００の制御部２６０は、制御状態情報を送信するように、当該光回線終端装置１０を操作するための操作指令を、制御状態確認ボタン２２９が受け付けたか否かを監視する（ＳＥ２）。あるいは、携帯用送信装置２００の制御部２６０は、制御履歴情報を送信するように、当該光回線終端装置１０を操作するための操作指令を、制御履歴確認ボタン２３０が受け付けたか否かを監視する（ＳＥ２）。
【００８７】
ここで、作業者によって操作部２２０が押し下げられることで、操作部２２０が上述した操作指令を受け付けた場合（ＳＥ２、Ｙｅｓ）、携帯用送信装置２００の制御部２６０は、アドレス設定スイッチ２２１にて設定されたアドレスを含めた信号であって、上述した操作指令に関する指令信号を送受信部２１０によって光回線終端装置１０に対して送信させる（ＳＥ３）。
【００８８】
また、ＳＦ１の処理において、光回線終端装置１０の送受信部６０がＳＥ３にて送信された指令信号を受信したと判定された場合（ＳＦ１、Ｙｅｓ）、光回線終端装置１０の制御部８０は、指令信号に含まれるアドレス設定スイッチ２２１にて設定されたアドレスと光回線終端装置１０に記憶されたアドレスとが合致するか否かを判定する（ＳＦ２）。その結果、アドレス設定スイッチ２２１にて設定されたアドレスと光回線終端装置１０に記憶されたアドレスとが合致しない場合（ＳＦ２、Ｎｏ）、光回線終端装置１０の制御部８０は、この処理を終了する。
【００８９】
一方、アドレス設定スイッチ２２１にて設定されたアドレスと光回線終端装置１０に記憶されたアドレスとが合致した場合（ＳＦ２、Ｙｅｓ）、ＳＦ１にて受信された指令信号が上述した光信号の受信レベル又はＲＦ信号の出力レベルの送信に関する信号であった場合には、光回線終端装置１０の検出部８１は、ＰＤ３０にて変換されたＲＦ信号に基づいて、光信号の受信レベルを検出したり、又は当該ＲＦ信号の出力レベルを検出する（ＳＦ３）。そして、光回線終端装置１０の制御部８０は、ＳＦ３にて検出された光信号の受信レベルを特定するための情報又はＲＦ信号の出力レベルを特定するための情報を送受信部６０によって携帯用送信装置２００に対して送信させる（ＳＦ４）。あるいは、ＳＦ１にて受信された指令信号が上述した制御状態の送信に関する信号であった場合に、光回線終端装置１０の検出部８１は、各スイッチの切替状態に基づいて、当該光回線終端装置１０の現在の制御状態を特定し（ＳＦ３）、当該特定された制御状態に関する制御状態情報を送受信部６０によって携帯用送信装置２００に対して送信させる（ＳＦ４）。あるいは、ＳＦ１にて受信された指令信号が上述した制御履歴の送信に関する信号であった場合に、光回線終端装置１０の制御部８０は、記憶部１１０に記憶された制御履歴の全部又は一部（例えば、制御履歴のうち直近３カ月前までの制御履歴等）を特定し（ＳＦ３）、当該特定された制御履歴の全部又は一部に関する制御履歴情報を、送受信部６０によって携帯用送信装置２００に対して送信させる（ＳＦ４）。
【００９０】
また、ＳＥ４の処理後、ＳＥ５の処理において、携帯用送信装置２００の送受信部２１０が光信号の受信レベルを特定するための情報又はＲＦ信号の出力レベルを特定するための情報等を受信した場合、携帯用送信装置２００の制御部２６０は、当該光信号の受信レベルを特定するための情報又はＲＦ信号の出力レベルを特定するための情報をレベル表示部２４２に表示させる（例えば、光信号の受信レベルが−８．００ｄＢｍの場合、レベル表示部２４２によって「−８．００」を表示させる）（ＳＥ６）。あるいは、携帯用送信装置２００の送受信部２１０が制御状態情報を受信した場合、携帯用送信装置２００の制御部２６０は、当該制御状態情報をレベル表示部２４２に表示させる（ＳＥ７）。この表示は、７セグメント表示器で表示可能な文字や記号を組み合わせて構成された所定の表示内容をレベル表示部２４２に出力させることで行われる。例えば、ＲＦ信号における放送帯域が制限されていない状態の場合、レベル表示部２４２によって「ＡＬＬ」を表示させる。また、ＲＦ信号における放送帯域がすべて制限された状態の場合、レベル表示部２４２によって「−−−−」を表示させる。また、ＲＦ信号における放送帯域のうちＣＡＴＶ帯域が制限された状態の場合、レベル表示部２４２によって「ＣＡ」を表示させる。また、ＲＦ信号における放送帯域のうちＢＳ／ＣＳ帯域が制限された状態の場合、レベル表示部２４２によって「ＢＳＣＳ」を表示させる。あるいは、携帯用送信装置２００の送受信部２１０が制御履歴情報を受信した場合、携帯用送信装置２００の制御部２６０は、当該制御履歴情報を情報書込部２７０によって所定の記録媒体に出力させる（例えば、携帯用送信装置２００の送受信部２１０が光回線終端装置１０から制御履歴情報と併せて、当該制御履歴情報に対応する情報であって、光回線終端装置１０の制御状態が変更された日付を示す制御日付情報を受信した場合に、制御日付情報（例えば２０１０年１１月２３日等）と、制御履歴情報（例えばＲＦ信号における放送帯域がすべて制限された状態であったこと等）とを相互に関連づけて所定の記録媒体に出力させる）（ＳＥ７）。このように、特定の光回線終端装置１０における光信号の受信レベルを特定する情報、ＲＦ信号の出力レベルを特定する情報、若しくは制御状態情報をレベル表示部２４２によって表示させることにより、又は制御履歴情報を情報書込部２７０によって所定の記録媒体に出力させることにより、作業者が当該光回線終端装置１０から離れた位置で当該光回線終端装置１０における光信号の受信レベル、ＲＦ信号の出力レベル、制御状態、又は制御履歴を確認することができる。また、この表示処理においては、光信号の受信レベル等と同様に、切替部９０におけるＡＴＴ１００への出力帯域幅の設定状態が制御履歴情報に含まれており、光回線終端装置１０のレベル表示部２４２によって出力帯域幅の設定状態が表示される。なお、この表示処理においては、ＰＤ３０から出力されるＲＦ信号の出力レベルに代えて、ＡＴＴ１００から出力されるＲＦ信号の出力レベルを表示するように、携帯用送信装置２００から光回線終端装置１０に指令信号を送信し、この指令信号に基づいて光回線終端装置１０から送信されたＡＴＴ１００のＲＦ信号の出力レベルを、レベル表示部２４２によって表示させるようにしてもよい。あるいは、これらＰＤ３０から出力されるＲＦ信号の出力レベルと、ＡＴＴ１００のＲＦ信号の出力レベルとの両方を表示するようにしてもよく、この場合には、例えば、これら２つの出力レベルを所定順序で交互にレベル表示部２４２によって表示させるようにしてもよい。このようにＡＴＴ１００のＲＦ信号の出力レベルを表示させることで、この出力レベルを参考に、後述する設定変更処理におけるＡＴＴ１００の設定変更を行うことができる。
【００９１】
（処理−設定変更処理）
次に、設定変更処理について説明する。図１３は実施の形態２に係る光回線終端装置１０及び携帯用送信装置２００が実行する設定変更処理のフローチャートである。この設定変更処理は、光回線終端装置１０の記憶部１１０に記憶されたアドレスを変更したり、ＲＦ信号の出力レベルを調整する処理である。この設定変更処理は、例えば光回線終端装置１０及び携帯用送信装置２００に電源が投入された場合に起動される。なお、ＳＧ１、ＳＧ３，ＳＧ４、ＳＨ１−ＳＨ２は、図１２のＳＥ１、ＳＥ３，ＳＥ４、ＳＦ１−ＳＦ２とそれぞれ同じであるので、その説明を省略する。
【００９２】
ＳＧ１の処理において、作業者によって光回線終端装置１０のアドレスがアドレス設定スイッチ２２１に入力された場合（ＳＧ１、Ｙｅｓ）、携帯用送信装置２００の制御部２６０は、光回線終端装置１０の記憶部１１０に記憶されたアドレスを、作業者によってアドレス設定スイッチ２２１を介して設定されたアドレス（例えばこのアドレスが「５６７８９０」）に変更するように、当該光回線終端装置１０を操作するための操作指令を受け付けるアドレス変更ボタン２２４を監視する（ＳＧ２）。あるいは、携帯用送信装置２００の制御部２６０は、光回線終端装置１０が作業者によってＡＴＴ選択スイッチ２２５を介して選択されたＲＦ信号の出力レベルの調整量（例えば−１５ｄＢ）に基づいてＲＦ信号の出力レベルを調整するように、当該光回線終端装置１０を操作するための操作指令を受け付けるＡＴＴ切り替えボタン２２６を監視する（ＳＧ２）。
【００９３】
また、ＳＨ２の処理において、アドレス設定スイッチ２２１にて設定されたアドレスと光回線終端装置１０に記憶されたアドレスとが合致した場合（ＳＨ２、Ｙｅｓ）、ＳＨ１にて受信された指令信号がアドレス変更に関する信号であった場合には、光回線終端装置１０のアドレス変更部８３は、記憶部１１０に記憶されたアドレスを、ＳＧ２にてアドレス設定スイッチ２２１を介して設定されたアドレスに変更する（例えば、記憶部１１０に記憶されたアドレスを「１２１４６１」から「５６７８９０」に変更する）（ＳＨ３）。そして、光回線終端装置１０の制御部８０は、ＳＨ３にて光回線終端装置１０に記憶されたアドレスが変更された旨を送受信部６０によって携帯用送信装置２００に対して送信させる（ＳＨ４）。あるいは、ＳＨ１にて受信された指令信号がＲＦ信号の出力レベルの調整に関する信号であった場合には、光回線終端装置１０のレベル調整部８２は、ＳＧ２にてＡＴＴ選択スイッチ２２５を介して選択されたＲＦ信号の出力レベルの調整量に基づいてＡＴＴ１００の設定を変更する（例えば、ＡＴＴ１００から出力されるＲＦ信号の出力レベルが９５ｄＢの場合、当該ＲＦ信号の出力レベルから１５ｄＢ差し引いた値である８０ｄＢとなるように、ＡＴＴ１００の設定を変更する）（ＳＨ３）。そして、光回線終端装置１０の制御部８０は、ＳＨ３にて光回線終端装置１０のＲＦ信号の出力レベルが調整された旨を、送受信部６０によって携帯用送信装置２００に対して送信させる（ＳＨ４）。
【００９４】
また、ＳＧ５の処理において、携帯用送信装置２００の送受信部２１０がＳＨ４にて送信された光回線終端装置１０に記憶されたアドレスが変更された旨又は光回線終端装置１０のＲＦ信号の出力レベルが調整された旨等を受信した場合（ＳＧ５、Ｙｅｓ）、携帯用送信装置２００の制御部２６０は、ＳＧ５にて光回線終端装置１０に記憶されたアドレスが変更された旨又はＳＧ５にて光回線終端装置１０のＲＦ信号の出力レベルが調整された旨を受信表示部２４４に表示（例えば点灯等）させる（ＳＧ６）。このように、アドレス変更ボタン２２４によって受け付けた操作指令を特定の光回線終端装置１０に対して送信したり、又はＡＴＴ切り替えボタン２２６によって受け付けた操作指令を当該光回線終端装置１０に対して送信することにより、作業者が当該光回線終端装置１０から離れた位置で当該光回線終端装置１０に記憶されたアドレスを容易に変更することができ、又は当該光回線終端装置１０のＲＦ信号の出力レベルを容易に調整することができる。また、これらＲＦ信号の出力レベルの調整と同様に、光回線終端装置１０の切替部９０からＡＴＴ１００への出力帯域幅を設定する操作指令の入力が携帯用送信装置２００によって受け付けられた場合、制御部２６０は、アドレス設定スイッチ２２１にて設定されたアドレスを含めた信号であって、上述した操作指令に関する指令信号を送受信部２１０によって光回線終端装置１０に対して送信させる。そして、光回線終端装置１０の制御部８０は、指令信号に含まれたアドレスが記憶部１１０に記憶されたアドレスに合致した場合には、当該指令信号に基づいて切替部９０の出力帯域幅を設定し、出力帯域幅が設定された旨の信号を、送受信部６０によって携帯用送信装置２００に対して送信させる。この信号を受信した携帯用送信装置２００の制御部２６０は、出力帯域幅が設定された旨を受信表示部２４４に表示させる。
【００９５】
（処理−出力処理）
次に、出力処理について説明する。図１４は実施の形態２に係る携帯用送信装置２００が実行する出力処理のフローチャートである。この出力処理は、アドレス表示処理、受信レベル等表示処理、又は設定変更処理を実行した後に、これら処理において操作部２２０を介して受け付けられた操作指令に関する情報を出力する処理である。この出力処理は、例えば、アドレス表示処理、受信レベル等表示処理、若しくは設定変更処理が終了した後、又は光回線終端装置１０及び携帯用送信装置２００に電源が投入された場合に起動される（以下では、アドレス表示処理をした後について説明する）。
【００９６】
図１４に示すように、携帯用送信装置２００の制御部２６０は、記憶部２８０に記憶された操作指令に関する情報（例えば、アドレス表示処理にて操作部２２０にて受け付けられた操作指令に関する情報等）を出力するように、当該携帯用送信装置２００を操作するための操作指令を、操作指令出力ボタン２３１が受け付けたか否かを監視する（ＳＩ１）。
【００９７】
ここで、操作指令出力ボタン２３１が携帯用送信装置２００の記憶部２８０に記憶された操作指令に関する情報を出力する操作指令を受け付けた場合（ＳＩ１、Ｙｅｓ）、携帯用送信装置２００の制御部２６０は、ＳＩ１にて受け付けた操作指令に基づいて記憶部２８０に記憶された操作指令に関する情報を、情報書込部２７０によって記憶媒体に出力させる（例えば、携帯用送信装置２００が操作指令を受け付けた日付に関する情報（例えば２０１０年１２月２日等）と、操作指令に関する情報（例えばアドレス設定スイッチ２２１がＯＦＦからＯＮに切り替えられたこと等）とを相互に関連づけて所定の記録媒体に出力させる）（ＳＩ２）。このように、操作指令出力ボタン２３１によって受け付けた操作指令に基づいて携帯用送信装置２００の記憶部２８０に記憶された操作指令に関する情報を出力することにより、携帯用送信装置２００の操作部２２０に受け付けられた操作指令を事後的に確認することができる。
【００９８】
（効果）
このように実施の形態２によれば、携帯用送信装置２００の送受信部２１０はアドレス表示ボタン２２２によって受け付けた操作指令を光回線終端装置１０に対して送信すると共に、当該光回線終端装置１０に記憶されたアドレスを受信し、携帯用送信装置２００のアドレス表示部２４１は送受信部２１０によって受信した当該光回線終端装置１０に記憶されたアドレスを表示するので、作業者が当該光回線終端装置１０から離れた位置で当該光回線終端装置１０に記憶されたアドレスを確認することができ、例えば携帯用送信装置２００でアドレスを設定してから光回線終端装置１０に対する操作を行う場合に、当該光回線終端装置１０に対する操作を確実に行うことができる。
【００９９】
また、携帯用送信装置２００の送受信部２１０はアドレス照合ボタン２２３によって受け付けた操作指令を光回線終端装置１０に対して送信すると共に、アドレス設定スイッチ２２１にて設定されたアドレスと合致するアドレスが記憶された光回線終端装置１０から当該光回線終端装置１０にて検出された光信号の受信レベルを特定するための情報を受信し、携帯用送信装置２００のレベル表示部２４２は、送受信部２１０によって受信した当該光信号の受信レベルを特定するための情報を表示するので、作業者が特定の光回線終端装置１０から離れた位置で当該光信号の受信レベルを確認することができ、当該光信号の受信レベルの確認作業の効率化を図ることができる。
【０１００】
また、携帯用送信装置２００の送受信部２１０は、光回線終端装置１０から制御状態情報を受信し、携帯用送信装置２００のレベル表示部２４２は、送受信部２１０によって受信した制御状態情報を表示するので、作業者が当該光回線終端装置１０から離れた位置で当該光回線終端装置１０の制御状態を確認することができる。
【０１０１】
また、携帯用送信装置２００の送受信部２１０は光回線終端装置１０から制御履歴情報を受信し、携帯用送信装置２００の情報書込部２７０は送受信部２１０によって受信した制御履歴情報を所定の記録媒体に出力するので、作業者が当該光回線終端装置１０から離れた位置で当該光回線終端装置１０の制御履歴を確認することができ、例えば携帯用送信装置２００又は光回線終端装置１０にエラーが発生した場合に、そのエラーの原因を特定し易くなる。
【０１０２】
また、携帯用送信装置２００の送受信部２１０は、ＡＴＴ切り替えボタン２２６によって受け付けた操作指令を光回線終端装置１０に対して送信するので、作業者が当該光回線終端装置１０から離れた位置で当該光回線終端装置１０のＲＦ信号の出力レベルを容易に調整することができ、当該光信号の受信レベルの確認作業の効率化を一層図ることができる。
【０１０３】
また、携帯用送信装置２００の送受信部２１０は、アドレス変更ボタン２２４によって受け付けた操作指令を光回線終端装置１０に対して送信するので、作業者が当該光回線終端装置１０から離れた位置で当該光回線終端装置１０に記憶されたアドレスを容易に変更することができ、アドレスの変更作業を効率的に行うことができる。
【０１０４】
携帯用送信装置２００の情報書込部２７０は、操作指令出力ボタン２３１によって受け付けた操作指令に基づいて携帯用送信装置２００の記憶部２８０に記憶された操作指令に関する情報を出力するので、携帯用送信装置２００の操作部２２０に受け付けられた操作指令を事後的に確認することができ、例えば携帯用送信装置２００又は光回線終端装置１０にエラーが発生した場合に、そのエラーの原因を一層特定し易くなる。
【０１０５】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０７】
（携帯用送信装置と光回線終端装置との相互間の情報の送信及び受信について）
上記実施の形態では、携帯用送信装置２００から光回線終端装置１０に対して各種の情報を送信し、かつ、光回線終端装置１０から携帯用送信装置２００に対して各種の情報を送信しているが、少なくとも、携帯用送信装置２００から光回線終端装置１０に対する送信を行うことができればよく、携帯用送信装置２００における情報の受信機能や出力機能は省略してもよい。例えば、光回線終端装置１０における光信号の受信レベル等の情報を、当該光回線終端装置１０の表示部７０で表示することで、作業者はこれらの情報を、光回線終端装置から離れた位置で確認することができる。
【０１０８】
（表示部について）
実施の形態１では、携帯用送信装置２００の表示部２４０が１つのＬＥＤを用いて構成されると説明したが、例えば、この表示部２４０が１桁の７セグメント表示を行う７セグメントＬＥＤを用いて構成されてもよい。このような表示部２４０によって、光信号の受信レベルを特定する情報を表示させる方法としては、例えば、光信号の受信レベルが−１．２３ｄＢｍの場合に、この表示部２４０によって、「−」「１．」、「２」、「３」を順に表示させる方法等がある。
【０１０９】
（受信レベル等表示処理及び設定変更処理について）
実施の形態２では、受信レベル等表示処理及び設定変更処理において、アドレス設定スイッチ２２１にて設定されたアドレスと光回線終端装置１０に記憶されたアドレスとが合致した場合に、光回線終端装置１０から光信号の受信レベルを特定する情報等を送信したり、光回線終端装置１０に記憶されたアドレスの変更等を行うと説明したが、これに限られない。例えば、光回線終端装置１０においてアドレスの照合を行わずに、上述した光信号の受信レベルを特定する情報等を送信したり、アドレスの変更等を行えるようにしてもよい（すなわち、受信レベル等表示処理においてＳＥ１、ＳＦ２の処理を省略してもよく、設定変更処理においてＳＧ１、ＳＨ２の処理を省略してもよい）。
【０１１０】
（受信レベル等表示処理について）
実施の形態２では、携帯用送信装置２００の送受信部２１０が制御履歴情報を受信した場合、携帯用送信装置２００の制御部２６０は、当該制御履歴情報を情報書込部２７０によって所定の記録媒体に出力させると説明したが、例えば、当該制御履歴情報をレベル表示部２４２に表示させてもよい。具体的には、携帯用送信装置２００の送受信部２１０が光回線終端装置１０から制御履歴情報と併せて、当該制御履歴情報に対応する制御日付情報を受信した場合に、携帯用送信装置２００の制御部２６０は、この制御日付情報に基づいて、光回線終端装置１０の制御状態が変更されてからの経過日数を算出する。そして、携帯用送信装置２００の制御部２６０は、レベル表示部２４２によって、光回線終端装置１０の制御状態が変更されてからの経過日数を示す数字及びドットを組み合わせたものを経過日数の古い順に表示させた後、制御履歴情報に基づいて光回線終端装置１０の制御状態を順次表示させ、これらの表示を順に行わせる（例えば、８０日前にＲＦ信号における放送帯域がすべて制限された状態であった場合、３０日前にＲＦ信号における放送帯域のうちＣＡＴＶ帯域が制限された状態であった場合、及び５日前にＲＦ信号における放送帯域のうちＢＳ／ＣＳ帯域が制限された状態であった場合、レベル表示部２４２によって、「８０．」、「−−−−」、「３０．」、「ＣＡ」、「５．」、「ＢＳＣＳ」を順に表示させる）。
（付記）
付記１の光回線終端装置用の携帯用送信装置は、光送信機から光伝送路を介して送信された光信号を受信して電気信号に変換する光回線終端装置に対して、情報の送信を行う携帯用送信装置であって、前記光回線終端装置を操作するための操作指令の入力を受け付ける受付手段と、前記受付手段によって受け付けられた操作指令を前記光回線終端装置に対して送信する送信手段とを備える。
付記２の光回線終端装置用の携帯用送信装置は、付記１に記載の光回線終端装置用の携帯用送信装置において、前記操作指令は、前記光回線終端装置にて検出された前記光信号の受信レベルを特定するための情報を、当該光回線終端装置から外部に出力させるための指令である。
付記３の光回線終端装置用の携帯用送信装置は、付記１又は２に記載の光回線終端装置用の携帯用送信装置において、前記受付手段は、前記光回線終端装置において前記電気信号の出力レベルの調整を行うための調整量の入力を受け付けるレベル調整量設定受付手段と、前記レベル調整量設定受付手段によって受け付けられた調整量に基づいて前記電気信号の出力レベルを調整するように、前記光回線終端装置を操作するための操作指令の入力を受け付けるレベル調整受付手段とを備え、前記送信手段は、前記レベル調整受付手段によって受け付けられた操作指令を前記光回線終端装置に対して送信する。
付記４の光回線終端装置用の携帯用送信装置は、付記１から３のいずれか一項に記載の光回線終端装置用の携帯用送信装置において、前記受付手段は、前記光回線終端装置を一意に識別するためのアドレスの入力を受け付けるアドレス設定受付手段と、前記アドレス設定受付手段によって受け付けられたアドレスと前記光回線終端装置に記憶されたアドレスとが合致した場合に、当該光回線終端装置に関する情報を外部に出力するように、当該光回線終端装置を操作するための操作指令の入力を受け付けるアドレス照合受付手段とを備え、前記送信手段は、前記アドレス照合受付手段によって受け付けられた操作指令を前記光回線終端装置に対して送信する。
付記５の光回線終端装置用の携帯用送信装置は、付記１から４のいずれか一項に記載の光回線終端装置用の携帯用送信装置において、前記受付手段は、前記光回線終端装置を一意に識別するためのアドレスの入力を受け付けるアドレス設定受付手段と、前記光回線終端装置に記憶されたアドレスを前記アドレス設定受付手段によって受け付けられたアドレスに変更するように、当該光回線終端装置を操作するための操作指令の入力を受け付けるアドレス変更受付手段を備え、前記送信手段は、前記アドレス変更受付手段によって受け付けられた操作指令を前記光回線終端装置に対して送信する。
付記６の光回線終端装置用の携帯用送信装置は、付記１から５のいずれか一項に記載の光回線終端装置用の携帯用送信装置において、前記光回線終端装置から当該光回線終端装置に関する情報を受信する受信手段と、前記受信手段によって受信した前記光回線終端装置に関する情報を出力する出力手段とを備える。
付記７の光回線終端装置用の携帯用送信装置は、付記６に記載の光回線終端装置用の携帯用送信装置において、前記光回線終端装置に関する情報は、前記光回線終端装置にて検出された前記光信号の受信レベルを特定するための情報である。
付記８の光回線終端装置用の携帯用送信装置は、付記６又は７に記載の光回線終端装置用の携帯用送信装置において、前記光回線終端装置に関する情報は、前記光回線終端装置の制御状態に関する制御状態情報である。
付記９の光回線終端装置用の携帯用送信装置は、付記６から８のいずれか一項に記載の光回線終端装置用の携帯用送信装置において、前記光回線終端装置に関する情報は、前記光回線終端装置にて実行された制御の履歴に関する制御履歴情報である。
付記１０の光回線終端装置用の携帯用送信装置は、付記６から９のいずれか一項に記載の光回線終端装置用の携帯用送信装置において、前記光回線終端装置に関する情報は、前記光回線終端装置を一意に識別するために当該光回線終端装置に記憶されたアドレスである。
付記１１の光回線終端装置用の携帯用送信装置は、付記６から１０のいずれか一項に記載の光回線終端装置用の携帯用送信装置において、前記受付手段にて受け付けられた操作指令に関する情報を記憶する記憶手段を備え、前記受付手段は、前記記憶手段に記憶された前記操作指令に関する情報を出力するように、当該携帯用送信装置を操作するための操作指令の入力を受け付ける出力受付手段を備え、前記出力手段は、前記出力受付手段によって受け付けられた操作指令に基づいて、前記記憶手段に記憶された前記操作指令に関する情報を出力する。
（付記の効果）
付記１に記載の光回線終端装置用の携帯用送信装置によれば、光回線終端装置を操作するための操作指令が光回線終端装置に対して送信されるので、作業者が光回線終端装置から離れた位置で当該光回線終端装置を操作することができ、当該光回線終端装置に関する作業の効率化を図ることができる。
付記２に記載の光回線終端装置用の携帯用送信装置によれば、光回線終端装置にて検出された光信号の受信レベルを特定するための情報が光回線終端装置から外部に出力されるので、作業者が光回線終端装置から離れた位置で当該光回線終端装置の光信号の受信レベルを確認することができる。
付記３に記載の光回線終端装置用の携帯用送信装置によれば、電気信号の出力レベルの調整を行うための調整量が光回線終端装置に送信され、この調整量に基づいて光回線終端装置において電気信号の出力レベルの調整が行われるので、作業者が光回線終端装置から離れた位置で当該光回線終端装置の電気信号の出力レベルを容易に調整することができ、当該光信号の受信レベルの調整作業の効率化を図ることができる。
付記４に記載の光回線終端装置用の携帯用送信装置によれば、送信手段から送信されたアドレスと光回線終端装置に記憶されたアドレスとが合致した場合に、光回線終端装置に関する情報が外部に出力されるので、複数の携帯用送信装置が近接して配置されているような場合であっても、特定の光回線終端装置に関する情報を確認することができ、光回線終端装置に関する情報の確認作業の効率化を図ることができる。
付記５に記載の光回線終端装置用の携帯用送信装置によれば、送信手段から送信されたアドレスによって光回線終端装置に記憶されたアドレスが変更されるので、作業者が光回線終端装置から離れた位置で当該光回線終端装置に記憶されたアドレスを容易に変更することができ、アドレスの変更作業を効率的に行うことができる。
付記６に記載の光回線終端装置用の携帯用送信装置によれば、光回線終端装置に関する情報が携帯用送信装置によって受信されて出力されるので、作業者が光回線終端装置から離れた位置で当該光回線終端装置に関する情報を容易に確認することができる。
付記７に記載の光回線終端装置用の携帯用送信装置によれば、光回線終端装置の光信号の受信レベルを特定するための情報が携帯用送信装置によって受信されて出力されるので、作業者が光回線終端装置から離れた位置で当該光回線終端装置の光信号の受信レベルを容易に確認することができる。
付記８に記載の光回線終端装置用の携帯用送信装置によれば、光回線終端装置の制御状態情報が携帯用送信装置によって受信されて出力されるので、作業者が光回線終端装置から離れた位置で当該光回線終端装置の制御状態を確認することができる。
付記９に記載の光回線終端装置用の携帯用送信装置によれば、光回線終端装置の制御履歴情報が携帯用送信装置によって受信されて出力されるので、作業者が光回線終端装置から離れた位置で当該光回線終端装置の制御履歴を確認することができる。
付記１０に記載の光回線終端装置用の携帯用送信装置によれば、光回線終端装置のアドレスが携帯用送信装置によって受信されて出力されるので、作業者が光回線終端装置から離れた位置で当該光回線終端装置のアドレスを確認することができる。
付記１１に記載の光回線終端装置用の携帯用送信装置によれば、受付手段にて受け付けられた操作指令に関する情報が出力されるので、作業者が受付手段にて受け付けられた操作指令を事後的に確認することができ、例えば携帯用送信装置又は光回線終端装置にエラーが発生した場合に、そのエラーの原因を一層特定し易くなる。
【符号の説明】
【０１１１】
１  告知放送システム
２  光ケーブル
３  同軸ケーブル
４  デジタルＴＶ
１０  光回線終端装置
２０  筐体
２１  ベース部
２２  カバー部
２３  引き込み口
２４  端子孔
３０  ＰＤ
４０  増幅部
５０  出力端子
６０、２１０  送受信部
７０、２４０  表示部
７１、７２、７３  ＬＥＤ
８０、２６０  制御部
８１  検出部
８２  レベル調整部
８３  アドレス変更部
９０  切替部
９１  セパレータ
９２ａ、９２ｂ、９３ａ、９３ｂ  増幅器
９４、９５  スイッチ
９６  ミキサ
１００  ＡＴＴ
１１０、２８０  記憶部
２００  携帯用送信装置
２２０  操作部
２２１  アドレス設定スイッチ
２２２  アドレス表示ボタン
２２３  アドレス照合ボタン
２２４  アドレス変更ボタン
２２５  ＡＴＴ選択スイッチ
２２６  ＡＴＴ切り替えボタン
２２７  レベル選択スイッチ
２２８  レベル確認ボタン
２２９  制御状態確認ボタン
２３０  制御履歴確認ボタン
２３１  操作指令出力ボタン
２４１  アドレス表示部
２４２  レベル表示部
２４３  送信表示部
２４４  受信表示部
２５０  電源部
２７０  情報書込部
【図１】
0005866143.tif 000002
【図２】
0005866143.tif 000003
【図３】
0005866143.tif 000004
【図４】
0005866143.tif 000005
【図５】
0005866143.tif 000006
【図６】
0005866143.tif 000007
【図７】
0005866143.tif 000008
【図８】
0005866143.tif 000009
【図９】
0005866143.tif 000010
【図１０】
0005866143.tif 000011
【図１１】
0005866143.tif 000012
【図１２】
0005866143.tif 000013
【図１３】
0005866143.tif 000014
【図１４】
0005866143.tif 000015